(57)【要約】【課題】術者がインスツルメントホルダから診療に必要なインスツルメントを引き出す時に、インスツルメントホースの引き出し長さを術者の好みの自由に調整することができる歯科用インスツルメントホースの引き出し量調整機構を提供する。【解決手段】インスツルメントホースの引き出し量調整機構は、基台１１と、インスツルメントホースを保持し、一方の端部が基台１１の第１の軸部材に軸支されたインスツルメントホース保持アーム１２と、一方の端部が基台の第２の軸部材に軸支され他方の端部がインスツルメントホース保持アーム１２の中間部に設けた第３の軸部材に軸支されたスライダ部材１４と、スライダ部材１４を収縮方向に付勢するバネ部材１７とを有している。そして、スライダ部材１４は、収縮方向に対してロック状態となるロック機構とロック状態を解除するロック解除機構を備えている。【選択図】図５
2015070941.tif 000002
【特許請求の範囲】
【請求項１】
基台と、
インスツルメントホルダより垂下されるインスツルメントホースを保持し、一方の端部が前記基台の第１の軸部材に軸支されたインスツルメントホース保持アームと、
一方の端部が前記基台の第２の軸部材に軸支されるとともに他方の端部が前記インスツルメントホース保持アームの中間部に設けた第３の軸部材に軸支されたスライダ部材と、
前記基台と前記インスツルメントホース保持アームに設けたピンに両端が係止され、前記スライダ部材を収縮方向に付勢するバネ部材とを有し、
前記スライダ部材が、収縮方向に対してロック状態となるロック機構と前記ロック状態を解除するロック解除機構を備えたことを特徴とする歯科用インスツルメントホースの引き出し量調整機構。
【請求項２】
前記スライダ部材は、インナー部材とアウター部材とを有し、前記ロック機構は、前記インナー部材に設けたテーパ面と前記アウター部材に設けた摺動面との間に介在させたローラ部材と、該ローラ部材を前記摺動面に対して押圧するバネ部材からなることを特徴とする請求項１に記載の歯科用インスツルメントホースの引き出し量調整機構。
【請求項３】
前記ロック解除機構は、前記インナー部材に設けられて圧縮空気が供給される空気室と、該空気室に設けられ前記圧縮空気の供給により前記ローラ部材を前記バネ部材に抗して押圧するピストン部材とからなることを特徴とする請求項２に記載の歯科用インスツルメントホースの引き出し量調整機構。
【請求項４】
前記ロック解除機構は、フットコントローラに搭載されたスイッチの操作によって作動することを特徴とする請求項１から３のいずれか１に記載の歯科用インスツルメントホースの引き出し量調整機構。
【発明の詳細な説明】
【技術分野】
【０００１】
本発明は、歯科用インスツルメントホースの引き出し量調整機構に関し、詳しくは、歯科治療に当り、術者がインスツルメントホルダから診療に必要なインスツルメントを引き出す時に、インスツルメントホースを好みの長さだけ引き出すことができる歯科用インスツルメントホースの引き出し量調整機構に関する。
【背景技術】
【０００２】
歯科用のインスツルメントホルダ上に載置したインスツルメントから垂下するインスツルメントホースをインスツルメントホース保持アームで保持する型式のインスツルメントホルダを使用する場合、歯科治療作業をし易くするために、術者がインスツルメントホルダから診療に必要なインスツルメントを引き出す時、インスツルメントの引き出し長さを術者の好みの引き出し長さに調整することができるようにすることが望ましい。
【０００３】
このため、例えば、特許文献１には、インスツルメントをインスツルメントホルダから引き出して診療を行う際に、インスツルメントホース保持アームを前方に回動して、所定量回動された位置にロック可能な歯科用インスツルメントホース引き出し機構が開示されている。この引き出し機構では、診療終了後、再度インスツルメントホース保持アームを前方に回動することによりロックが解除されて、インスツルメントホース保持アームを後方に回動してインスツルメント非使用時の状態に戻されるようになっている。
【０００４】
そして、特許文献１に記載された歯科用インスツルメントホース引き出し機構は、インスツルメントホース保持アームの回動量を調整するストッパを有しており、このストッパの位置を変えることにより、インスツルメントホース保持アームが所定量回動されてロックされる位置を調整可能としている。
【先行技術文献】
【特許文献】
【０００５】
【特許文献１】特開２０１１−１６０８９９号公報
【発明の概要】
【発明が解決しようとする課題】
【０００６】
しかしながら、特許文献１に記載された歯科用インスツルメントホース引き出し機構では、インスツルメントホースの引き出し量が、予めストッパの位置によって定められたインスツルメント保持アームの回転ストロークによって決められてしまうため、術者が使用する際に自由にインスツルメントホースの引き出し量を変えることができなかった。
【０００７】
本発明は、このような実情に鑑みてなされたものであり、術者がインスツルメントホルダから診療に必要なインスツルメントを引き出す時に、インスツルメントホースの引き出し長さを術者の好みの自由に調整することができ、施術中にインスツルメントホースの自重による手への負担を軽減した歯科用インスツルメントホースの引き出し量調整機構を提供することをその目的とする。
【課題を解決するための手段】
【０００８】
上記課題を解決するために、請求項１の発明は、基台と、インスツルメントホルダより垂下されるインスツルメントホースを保持し、一方の端部が前記基台の第１の軸部材に軸支されたインスツルメントホース保持アームと、一方の端部が前記基台の第２の軸部材に軸支されるとともに他方の端部が前記インスツルメントホース保持アームの中間部に設けた第３の軸部材に軸支されたスライダ部材と、前記基台と前記インスツルメントホース保持アームに設けたピンに両端が係止され、前記スライダ部材を収縮方向に付勢するバネ部材とを有する歯科用インスツルメントホースの引き出し量調整機構であって、前記スライダ部材が、収縮方向に対してロック状態となるロック機構と前記ロック状態を解除するロック解除機構を備えたことを特徴とするものである。
【０００９】
請求項２の発明は、請求項１の発明において、前記スライダ部材は、インナー部材とアウター部材とを有し、前記ロック機構は、前記インナー部材に設けたテーパ面と前記アウター部材に設けた摺動面との間に介在させたローラ部材と、該ローラ部材を前記摺動面に対して押圧するバネ部材からなることを特徴とするものである。
【００１０】
請求項３の発明は、請求項２の発明において、前記ロック解除機構は、前記インナー部材に設けられて圧縮空気が供給される空気室と、該空気室に設けられ前記圧縮空気の供給により前記ローラ部材を前記バネ部材に抗して押圧するピストン部材とからなることを特徴とするものである。
【００１１】
請求項４の発明は、請求項１から３のいずれか１の発明において、前記ロック解除機構は、フットコントローラに搭載されたスイッチの操作によって作動することを特徴とするものである。
【発明の効果】
【００１２】
本発明によれば、任意の引き出し長さでインスツルメントホース保持アームをロックできるため、施術に必要な任意の引き出し長さでインスツルメントホースを引き出すこが可能となり、ホースの自重によるホース引き戻し力を軽減することができる。このため、必要以上にインスツルメントホースを引き出して、他のインスツルメントやワークテーブルの部品にホースが絡まることを防止できる。
【００１３】
また、インスツルメントホースが引き戻る方向にはロックがかかるが、インスツルメントホースを引き出す方向にはロックがかからないため、術者は、必要な場合ホースをさらに引き出すことができる。さらに、ロック解除は、フットコントローラに搭載された解除スイッチを操作したり、ユニット内に設けられたセンサーにより半自動的に行ったりすることが可能となる。
【図面の簡単な説明】
【００１４】
【図１】本発明に係る歯科用インスツルメントの引き出し長さ調整機構を備えたワークテーブルの概略構成図である。
【図２】本発明に係る歯科用インスツルメントの引き出し長さ調整機構の一実施例における動作を説明するための図である。
【図３】本発明に係る歯科用インスツルメントの引き出し長さ調整機構の一実施例における動作を説明するための図である。
【図４】本発明に係る歯科用インスツルメントの引き出し長さ調整機構の一実施例におけるスライダ部材の構成を説明するための図である。
【図５】本発明に係る歯科用インスツルメントの引き出し長さ調整機構の一実施例におけるインスツルメントホース保持アームの動作を説明するための図である。
【図６】本発明に係る歯科用インスツルメントの引き出し長さ調整機構の一実施例におけるスライダ部材の動作を説明するための図である。
【発明を実施するための形態】
【００１５】
以下、図面を参照しながら、本発明の歯科用インスツルメントホースの引き出し量調整機構に係る好適な実施の形態について説明する。以下の説明において、異なる図面においても同じ符号を付した構成は同様のものであるとして、その説明を省略する場合がある。
【００１６】
図１は、本発明に係る歯科用インスツルメントホースの引き出し長さ調整機構を備えたワークテーブルの概略構成図である。インスツルメントホースの引き出し長さ調整機構１０は、ワークテーブル１の下部に取り付けられており、インスツルメントホルダ２より垂下されるインスツルメントホース１２を保持するためのインスツルメントホース保持アーム１２を有している。インスツルメントホース保持アーム１２は、後述するようにワークテーブル１の下部で回動自在に取り付けられており、インスツルメント３に連結したインスツルメントホース４をその先端部で保持している。
【００１７】
インスツルメント３は、未使用時には通常インスツルメントホルダ２上の３１で示す位置に載置されており、この時、インスツルメントホース保持アーム１２は、図１の１２１で示す一番跳ね上がった状態にある。また、インスツルメント３を３２の位置で示すように最大に引き出した時は、インスツルメントホース保持アーム１２はインスツルメントホルダ２に近い位置まで回動し１２２で示す位置にくる。この時、インスツルメントホース保持アーム１２はロックされており、術者はこのインスツルメントホースの引き出し長さの状態で施術が可能となっている。
【００１８】
しかし、術者によって、あるいは、使用するインスツルメント等によって、術者は、その引き出し長さを自分に適した長さで使用したい場合がある。このため、本発明では、インスツルメントホース保持アーム１２を１２１の位置と１２２の位置との間の所望の位置でロック状態を維持することが可能となっている。このロック状態は更にインスツルメントホース４を引き出す際は、自動的に解除されるが、１２１で示す一番跳ね上がった状態にインスツルメント保持アーム１２を戻す場合は、例えば、フットコントローラ５に設けたスイッチ６を操作することにより、復帰するようになっている。
【００１９】
図２、図３は、それぞれ本発明に係る歯科用インスツルメントの引き出し長さ調整機構の一実施例における動作を説明するための図であり、図２はインスツルメント保持アーム１２が図１で示す１２１の位置にある場合に対応し、図３はインスツルメント保持アーム１２が図１で示す１２２の位置にある場合に対応する。
【００２０】
インスツルメントの引き出し長さ調整機構１０は、ワークテーブル１の下部に取り付けられる基台１１、インスツルメントホース保持アーム１２、スライダ部材１４、バネ部材１７を有しており、インスツルメントホース保持アーム１２の一方の端部は基台１１の第１の軸部材１３に軸支されている。スライダ部材１４は、一方の端部が基台１１の第２の軸部材１５に軸支されるとともに他方の端部がインスツルメントホース保持アーム１２の中間部に設けた第３の軸部材１６に軸支されている。バネ部材１７は、基台１１とインスツルメントホース保持アーム１２に設けたピン１８，１９に両端が係止され、インスツルメントホース保持アーム１２がインスツルメントホルダから遠ざかる方向、すなわち、スライダ部材１４が収縮する方向に付勢している。
【００２１】
スライダ部材１４は、収縮方向に対してロック状態となるロック機構とロック状態を解除するロック解除機構を備えており、以下に、スライダ部材１４の構成について説明する。図４は、本発明に係る歯科用インスツルメントの引き出し長さ調整機構の一実施例におけるスライダ部材の配置構成を説明するための図である。
【００２２】
スライダ部材１４は、インナー部材３０とアウター部材４０を有しており、本実施形態ではインナー部材３０が基台１１の第２の軸部材１５に軸支され、アウター部材４０がインスツルメントホース保持アーム１２の中間部に設けた第３の軸部材１６に軸支される。アウター部材４０は、インナー部材３０を収納するために断面略四角形状の、例えば金属材料から構成することができる。アウター部材４０の内面の一面は後述するようにローラ部材に対する摺動面４１となっており、この摺動面４１の反対側の面にはスリットを設けておいてもよい。なお、図４では、インナー部材３０をアウター部材４０から取り出した際の図を示している。
【００２３】
インナー部材３０は、内部に空気室３２を設けた、例えば合成樹脂からなるインナーブロック３１を有している。この空気室３２内にピストン部材３３が配設されており、空気室３０には外部からエアホース２０を通じて圧縮空気が供給されるようになっている。インナーブロック３１の空気室３０の反対側には、テーパ面（傾斜面）３４が形成されている。インナー部材３０の空気室３２側を基端側、テーパ面３４を形成した側を先端側とした場合、テーパ面３０は先端側に向かって、アウター部材４０の摺動面４１との間隙が広がるような傾斜面となっている。なお、インナーブロックは一つのブロックから構成してもよく、あるいは、複数のブロックから構成してもよい。
【００２４】
インナー部材３０のテーパ面３４とアウター部材の摺動面４１との間には、ローラ部材３５が配置されており、ローラ部材３５をテーパ面３４に沿って摺動面４１に向けて押圧するように、ローラ部材３５とバネ固定部材３７との間にバネ部材３６が配置されている。また、先述した空気室３０に外部から圧縮空気が供給されると、ピストン部材３３が、バネ部材３６に抗してローラ部材３５を摺動面４１から離れる方向に付勢するようになっている。空気室３０への圧縮空気の供給は、例えば、フットコントローラ５に設けたスイッチ６を操作することによりおこなうことが可能となっている。
【００２５】
そして、スライダ部材１４の収縮方向に対してロック状態となるロック機構は、スライダ部材のインナー部材３０に設けたテーパ面３４とアウター部材４０に設けた摺動面４１との間に介在させたローラ部材３５と、このローラ部材３５を摺動面４１に対して押圧するバネ部材部材３６から構成され、ロック状態を解除するロック解除機構は、インナー部材に設けられて圧縮空気が供給される空気室３２と、この空気室３２に設けられ圧縮空気の供給によりローラ部材３５をバネ部材３６に抗して押圧するピストン部材３３とから構成されている。
【００２６】
次に、インスツルメントホース保持アームの動作とスライダ部材の動作について説明する。図５は、本発明に係る歯科用インスツルメントの引き出し長さ調整機構の一実施例におけるインスツルメントホース保持アームの動作を説明するための図であり、図６は本発明に係る歯科用インスツルメントの引き出し長さ調整機構の一実施例におけるスライダ部材の動作を説明するための図である。
【００２７】
非使用時の状態から、術者がインスツルメント３をインスツルメントホルダ２から引き出すと、インスツルメントホース保持アーム１２にはバネ部材１７の引っ張り力に抗して矢印ａ方向に回動する力が働き、この矢印ａ方向に回動する力は、スライダ部材１４に対しては矢印Ａ方向に伸長する力として作用する。これは、図６（Ａ）で説明すると、アウター部材４０がインナー部材３０に対して相対的に矢印Ａ方向に移動しようとする力が働くことに相当する。通常、アウター部材４０の摺動面４１は、ローラ部材３５によって押圧されているが、アウター部材４０が矢印Ａ方向に移動する際には、ローラ部材３５はバネ部材３６に抗して矢印Ａ方向に移動しようとするため、アウター部材４０は矢印Ａ方向に移動が可能になる。
【００２８】
次に、術者が、インスツルメントホース４の引き出し長さが所望の引き出し長さとなったことにより、インスツルメントホース４の引き出し動作を止めた時、インスツルメントホース保持アーム１２にはバネ部材１７の引っ張り力に抗して矢印ｂ方向に回動する力が働き、この矢印ｂ方向に回動する力は、スライダ部材１４には矢印Ｂ方向に収縮する力として作用する。これは、図６（Ａ）で説明すると、アウター部材４０がインナー部材３０に対して相対的に矢印Ｂ方向に移動しようとする力が働くことに相当する。しかし、アウター部材４０が矢印Ｂ方向に移動しようとすると、ローラ部材３５も摺動面４１との摩擦力によって矢印Ｂ方向に移動しようとするが、ローラ部材３５が摺動面４１を押圧する押圧力も大きくなるため、アウター部材４０が矢印Ｂ方向に移動することが阻止される。
【００２９】
このように、スライダ部材１４は伸長方向に対しては非ロック状態となり、インスツルメントホース４を引き出す際には、スライダ部材１４が非ロック状態となるため、術者は、インスツルメントホース４の引き出し長さが所望の長さとなるまで、インスツルメント３を引き出すことが可能になる。また、スライダ部材１４は収縮方向に対してはロック状態となるため、インスツルメントホース保持アーム１２を所望の位置で静止させることができ、術者は、必要な任意の引き出し長さまでインスツルメントホースを引き出した状態で施術するこが可能となる。
【００３０】
また、インスツルメントホース４が最大の引き出し長さとなるまでは、術者は、何回でもインスツルメントホース４を引き出して、インスツルメントホースが所望の長さとなるように調整することが可能である。
【００３１】
次に、インスツルメント３をインスツルメントホルダ２に戻すために、インスツルメントホース保持アーム１２を図５の矢印ｂ方向に回動させて、インスツルメントホース４の引き出し長さを短くする場合について説明する。術者が、例えばフットコントローラ５に設けたスイッチ６を操作することにより、スライダ部材１４の空気室３２に圧縮空気を送り込むと、ピストン部材３３が、バネ部材３６に抗してローラ部材３５を摺動面４１から離れる方向に付勢する。このため、ローラ部材３５とアウター部材４０の摺動面の摩擦力が小さくなり、インナー部材３０とアウター部材４０とのロックが解除される。そして、インナー部材３０とアウター部材４０とのロックが解除されると、スライダ部材１４は収縮可能となり、インスツルメントホース保持アーム１２は、バネ部材１７によって矢印ｂ方向に回動される。
【００３２】
なお、以上に説明した実施形態では、スライダ部材１４のロックを解除するために、ローラ部材３５の移動用として、空気室３２に設けたピストン部材３３を用いたものについて説明したが、電磁石を用いたプランジャーなどで構成してもよい。また、スライダ部材１４のロック解除機構を、フットコントローラ５に搭載されたスイッチ６の操作によって作動させるようにしているが、スイッチは歯科用ユニットの適宜の場所に設置してもよく、あるいは、ユニット内に設けられたセンサーにより半自動的に行ってもよい。
【符号の説明】
【００３３】
１…ワークテーブル、２…インスツルメントホルダ、３…インスツルメント、４…インスツルメントホース、５…フットコントローラ、６…スイッチ、１０…インスツルメントホースの引き出し量調整機構、１１…基台、１２…インスツルメントホース保持アーム、１３…第１の軸部材、１４…スライダ部材、１５…第２の軸部材、１６…第３の軸部材、１７…バネ部材、１８、１９…ピン、２０…エアホース、３０…インナー部材、３１…インナーブロック、３２…空気室、３３…ピストン部材、３４…テーパ面、３５…ローラ部材、３６…バネ部材、３７…バネ固定部材、４０…アウター部材、４１…摺動面。
【図１】
2015070941.tif 000003
【図２】
2015070941.tif 000004
【図３】
2015070941.tif 000005
【図４】
2015070941.tif 000006
【図５】
2015070941.tif 000007
【図６】
2015070941.tif 000008